(57)【要約】【課題】  ユーザの所望する美しい写真を提供することのできる写真自動販売機を提案する。【解決手段】  写真自動販売機は、照明部１８ａ，１８ｂを含む。照明部１８ａは被写体であるユーザ６の髪付近に、照明部１８ｂは、ユーザ６の顔付近に、異なる光質の光を照射する。そのため、顔の写り具合と髪の毛の写り具合とが異なる美しい写真を撮影できる。【選択図】        図１
2005241839.tif 000002
【特許請求の範囲】
【請求項１】
被写体を撮影する撮影手段と、
前記被写体を照明する照明手段とを備え、
前記照明手段の内の第１の照明手段は、前記撮影手段よりも上方に設置されて、
箱型の筐体と、
前記箱型の筐体内部の光源と、
前記光源より発光された光を前記被写体に照射する照射面とを含み、
前記照射面は、
前記撮影手段に相対した前記被写体の顔周辺を照射するための顔照明部と、
前記被写体の頭髪周辺を照射するための髪照明部とを含んで構成される、写真自動販売機。
【請求項２】
前記顔照明部より照射される光質と、前記髪照明部より照射される光質とが異なるように構成される、請求項１に記載の写真自動販売機。
【請求項３】
前記顔照明部は光を直接透過させる透過板を含んで構成され、前記髪照明部は光を拡散する拡散板を含んで構成される、請求項１または２に記載の写真自動販売機。
【請求項４】
前記照明手段の内の第１の照明手段は、前記箱型の筐体内部に発光特性の異なる複数の光源をさらに含む、請求項１〜３のいずれかに記載の写真自動販売機。
【請求項５】
前記顔照明部の下辺は前記髪照明部の下辺と共有され、前記顔照明部は前記下辺以外の周囲を前記髪照明部に接する、請求項１〜４のいずれかに記載の写真自動販売機。
【請求項６】
前記照射面は、上方に向かうにつれて前記撮影手段の撮影方向に張出す構成である、請求項１〜５のいずれかに記載の写真自動販売機。
【請求項７】
前記第１の照明手段は、前記箱型の筐体内部に、前記光源から前記顔照明部または前記髪照明部へ入射する光量を調節する調節手段をさらに含む、請求項１〜６のいずれかに記載の写真自動販売機。
【請求項８】
前記照明手段の内の第２の照明手段は、前記撮影手段よりも下方に設置されて、
前記第１の照明手段、前記第２の照明手段、および前記撮影手段は、前記撮影手段の撮影方向に略直交する方向に、前記撮影手段を谷とする凹型を構成する、請求項１〜７のいずれかに記載の写真自動販売機。
【請求項９】
前記撮影手段を含む面の内、前記撮影手段の周囲は黒色が施されている、請求項１〜８のいずれかに記載の写真自動販売機。
【請求項１０】
ユーザから照明方法の選択を受付ける選択手段をさらに備える、請求項１〜９のいずれかに記載の写真自動販売機。
【請求項１１】
被写体を撮影する撮影手段と、
前記被写体を照明する照明手段と、
ユーザから前記照明手段における照明方法の選択を受付ける選択手段とを備え、
前記照明手段の内の第１の照明手段は、前記撮影手段よりも上方に設置されて、
箱型の筐体と、
前記箱型の筐体内部の光源と、
前記光源より発光された光を前記被写体に照射する照射面とを含み、
前記照射面は、
前記撮影手段に相対した前記被写体の顔周辺を照射するための顔照明部と、
前記被写体の頭髪周辺を照射するための髪照明部とを含んで構成される写真自動販売機の制御方法であって、
前記選択手段において、前記ユーザから照明方法の選択を受付ける選択ステップと、
前記選択された照明方法で前記被写体を照明するよう、前記照明手段を制御する制御ステップと、
前記照明方法で照明された下で前記被写体を前記撮影手段において撮影する撮影ステップとを備える、写真自動販売機の制御方法。
【請求項１２】
被写体を撮影する撮影手段と、
前記被写体を照明する照明手段と、
ユーザから前記照明手段における照明方法の選択を受付ける選択手段とを備え、
前記照明手段の内の第１の照明手段は、前記撮影手段よりも上方に設置されて、
箱型の筐体と、
前記箱型の筐体内部の光源と、
前記光源より発光された光を前記被写体に照射する照射面とを含み、
前記照射面は、
前記撮影手段に相対した前記被写体の顔周辺を照射するための顔照明部と、
前記被写体の頭髪周辺を照射するための髪照明部とを含んで構成される写真自動販売機の制御方法をコンピュータに実行させるプログラムであって、
前記選択手段において、前記ユーザから照明方法の選択を受付ける選択ステップと、
前記選択された照明方法で前記被写体を照明するよう、前記照明手段を制御する制御ステップと、
前記照明方法で照明された下で前記被写体を前記撮影手段において撮影する撮影ステップとを実行させる、写真自動販売機の制御プログラム。
【発明の詳細な説明】
【技術分野】
【０００１】
この発明は写真自動販売機、写真自動販売機の制御方法、および写真自動販売機の制御プログラムに関し、特に、ユーザの所望する美しい写真を提供することのできる写真自動販売機、写真自動販売機の制御方法、および写真自動販売機の制御プログラムに関する。
【背景技術】
【０００２】
近年、ゲームセンター等の遊戯を提供する店舗において、写真を撮影してシールプリント等にする写真自動販売機が数多く設置されている。このような写真自動販売機には、一般に、利用者である被写体をカメラで撮影し、その撮影画像をタブレットディスプレイなどに表示して付属のタッチペンで文字や図形などを入力する、いわゆる落書きやお絵描きといわれている編集機能があるものが一般的になっている。そして、このような編集入力された画像は撮影画像と合成され、その合成画像がプリンタで印刷されて利用者に提供される。
【０００３】
このような写真自動販売機は、撮影したときのできあがり写真の美しさや被写体の写り具合のよさに人気度が影響されるため、撮影時に美しい写り具合を実現するために様々な工夫がなされている。中でも、撮影時に被写体を照明する照明装置などは、その光量や配置する位置に応じて被写体の写り具合が異なる。そのため、現在の写真自動販売機において、照明方法は重要なファクタとなり得る。
【０００４】
特許文献１〜４には、被写体を効果的に照明するための写真シール自動販売方法が開示されている。
【０００５】
これらの特許文献にも開示されているように、写真自動販売機の写り具合の質は照明などの工夫により向上しており、できあがりの写真を美しく保つような様々な照明が実現されている。
【特許文献１】特開２００３−１５１０３０号公報
【特許文献２】特開２００３−１８７３２８号公報
【特許文献３】特開２００２−３７２７３９号公報
【特許文献４】特開２００３−２０７８４１号公報
【発明の開示】
【発明が解決しようとする課題】
【０００６】
しかしながら、利用者によって好みの写り具合が異なるため、単一の照明バリエーションではすべての利用者を満足させることができないという問題があった。
【０００７】
また、最近では、光の質によって固くシャープな写り具合や柔らかいふんわりとしたソフトな写り具合など、様々な照明バリエーションが写真自動販売機において実現され得るが、１つの写真自動販売機で複数の照明バリエーションを用意してユーザの所望に近い画質を実現するためには、ストロボが多く必要となって、コストアップや、装置の大型化、複雑化につながるという問題があった。
【０００８】
また、被写体を正面から撮影するときに、顔の写り具合と髪の毛の写り具合とは異なる方がより美しい画像が得られるが、被写体の正面から照射するフラッシュの光で顔と髪の毛との異なる写り具合を実現することは困難であり、一様な写り具合となる照明しか行なうことができないという問題があった。さらに、照明手法によっては、一部分だけはソフトな光質で写した方が美しく撮影できるなど、被写体に照射する部位によって、最適な光質は異なるという問題があった。
【０００９】
本発明はこれらの問題に鑑みてなされたものであって、低コストで複数の光質の照明バリエーションと被写体の部位ごとに美しく撮影するための照明とを実現することのできる写真自動販売機、写真自動販売機の制御方法、および写真自動販売機の制御プログラムを提供することを目的とする。
【課題を解決するための手段】
【００１０】
上記目的を達成するために、本発明のある局面に従うと、写真自動販売機は、被写体を撮影する撮影手段と、被写体を照明する照明手段とを備え、照明手段の内の第１の照明手段は、撮影手段よりも上方に設置されて、箱型の筐体と、箱型の筐体内部の光源と、光源より発光された光を被写体に照射する照射面とを含み、照射面は、撮影手段に相対した被写体の顔周辺を照射するための顔照明部と、被写体の頭髪周辺を照射するための髪照明部とを含んで構成される。
【００１１】
また、写真自動販売機は、顔照明部より照射される光質と、髪照明部より照射される光質とが異なるように構成されることが好ましい。
【００１２】
また、顔照明部は光を直接透過させる透過板を含んで構成され、髪照明部は光を拡散する拡散板を含んで構成されることが好ましい。
【００１３】
また、照明手段の内の第１の照明手段は、箱型の筐体内部に発光特性の異なる複数の光源をさらに含むことが好ましい。
【００１４】
また、顔照明部の下辺は髪照明部の下辺と共有され、顔照明部は下辺以外の周囲を髪照明部に接することが好ましい。
【００１５】
また、照射面は、上方に向かうにつれて撮影手段の撮影方向に張出す構成であることが好ましい。
【００１６】
また、第１の照明手段は、箱型の筐体内部に、光源から顔照明部または髪照明部へ入射する光量を調節する調節手段をさらに含むことが好ましい。
【００１７】
また、照明手段の内の第２の照明手段は、撮影手段よりも下方に設置されて、第１の照明手段、第２の照明手段、および撮影手段は、撮影手段の撮影方向に略直交する方向に、撮影手段を谷とする凹型を構成することが好ましい。
【００１８】
また、撮影手段を含む面の内、撮影手段の周囲は黒色が施されていることが好ましい。
【００１９】
また、写真自動販売機は、ユーザから照明方法の選択を受付ける選択手段をさらに備えることが好ましい。
【００２０】
本発明の他の局面に従うと、写真自動販売機の制御方法は、被写体を撮影する撮影手段と、被写体を照明する照明手段と、ユーザから照明手段における照明方法の選択を受付ける選択手段とを備え、照明手段の内の第１の照明手段は、撮影手段よりも上方に設置されて、箱型の筐体と、箱型の筐体内部の光源と、光源より発光された光を被写体に照射する照射面とを含み、照射面は、撮影手段に相対した被写体の顔周辺を照射するための顔照明部と、被写体の頭髪周辺を照射するための髪照明部とを含んで構成される写真自動販売機の制御方法であって、選択手段において、ユーザから照明方法の選択を受付ける選択ステップと、選択された照明方法で被写体を照明するよう、照明手段を制御する制御ステップと、照明方法で照明された下で被写体を撮影手段において撮影する撮影ステップとを備える。
【００２１】
本発明のさらに他の局面に従うと、写真自動販売機の制御プログラムは、被写体を撮影する撮影手段と、被写体を照明する照明手段と、ユーザから照明手段における照明方法の選択を受付ける選択手段とを備え、照明手段の内の第１の照明手段は、撮影手段よりも上方に設置されて、箱型の筐体と、箱型の筐体内部の光源と、光源より発光された光を被写体に照射する照射面とを含み、照射面は、撮影手段に相対した被写体の顔周辺を照射するための顔照明部と、被写体の頭髪周辺を照射するための髪照明部とを含んで構成される写真自動販売機の制御方法をコンピュータに実行させるプログラムであって、選択手段において、ユーザから照明方法の選択を受付ける選択ステップと、選択された照明方法で被写体を照明するよう、照明手段を制御する制御ステップと、照明方法で照明された下で被写体を撮影手段において撮影する撮影ステップとを実行させる。
【発明を実施するための最良の形態】
【００２２】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２３】
図１は、本実施の形態における写真自動販売機の外観の具体例を示す図である。
【００２４】
図１を参照して、本実施の形態における写真自動販売機は、筐体１、編集筐体２ａ，２ｂ、背景部５、パネル、フレーム材、サイドカーテン４０などが組み合わされて構成される。本実施の形態における写真自動販売機では、前述の構成要素を組合わせることによって、主に撮影操作を行なう撮影空間３と、撮影後の画像にいわゆるお絵描きや落書きと言われるタッチペンによる画像やテキストなどの入力である編集操作を行なう複数の編集空間４ａ，４ｂ（これらを代表させて編集空間４という）とが形成される。
【００２５】
筐体１は、その下方の内部に、コンピュータ装置１０１ａ〜ｂ、プリンタ１２、および制御部１０２（基板）などの各種機器類を含む。これらの詳細については、後に図６を用いて説明する。また、筐体１は、空洞となっている上方の内部に、フラッシュ２９などのストロボ照明装置や蛍光灯などの照明装置３０を含み、照明部１８ａ〜１８ｃが形成されている。照明部１８ａ〜１８ｃの詳細についても後に説明する。
【００２６】
さらに、筐体１には、筐体１の内部の熱を逃がすためのファンや、外部装置への画像の配信、リモートメンテナンスなどの、外部装置との通信を行なうときにケーブルを差込むためのＬＡＮ（Local Area Network）ケーブル差込口などが備えられていることが好ましい。
【００２７】
撮影空間３は、筐体１の外面のうちの一面、パネル、およびフレーム材を含んで形成される。撮影空間３では、ユーザ６は主に撮影操作を行なう。この筐体１の一面側には、撮影操作に必要な機能が備えられ、便宜上、この面を筐体１の正面とする。また、撮影空間３内の正面に向かう側を前方、正面と反対面に向かう側を後方とする。また、筐体１の正面と対になる面（裏面）であって、写真自動販売機の外部に接する面を、筐体１の背面とする。
【００２８】
ユーザ６が撮影空間３内に出入りできるように写真自動販売機の側面は開放されているが、利用者のプライバシーに配慮するため、または外部光を遮断するためなどの目的で、撮影空間３の周囲には、周囲と撮影空間３とを区分するサイドカーテン４０ａ（不図示）が備えられる。撮影空間３における撮影部の構成の詳細は、後に図２を用いて説明される。
【００２９】
撮影空間３内の後方には背景部５が備えられる。背景部５には様々な色や柄の背景画像を表わすロールスクリーン４１が複数備えられ、それらのうちの１つのロールスクリーン４１で、または複数のロールスクリーン４１が組合されて、撮影時の被写体の背景となる部分が形成される。これらの詳細は、後に図５を用いて説明される。なお、背景部５の撮影空間３側の面を背景部５の正面とし、その面と対になる面（裏面）であって、写真自動販売機の外部に接する面を背景部５の背面とする。
【００３０】
編集空間４ａは、筐体１の背面、フレーム材、および編集筐体２ａを含んで形成される。編集空間４ａでは、ユーザ６は主に撮影後の画像にいわゆるお絵描きや落書きと言われるタッチペンによる画像やテキストの入力である編集操作を行なう。編集空間４ａの周囲には、利用者のプライバシーに配慮するためにカーテン４０ｂが備えられる。編集空間４ａにおける編集部４０１ａの構成の詳細は、後に図３を用いて説明される。
【００３１】
編集空間４ｂは、背景部５の背面、フレーム材、および編集筐体２ｂを含んで形成される。編集空間４ｂでは、編集空間４ａと同様に、ユーザ６は主に編集操作を行なう。編集空間４ｂの周囲には、利用者のプライバシーに配慮するためにカーテン４０ｃが備えられる。編集空間４ｂにおける編集部４０１ｂの構成の詳細は、後に図４を用いて説明される。
【００３２】
かかる写真自動販売機を用いる際、被写体であるユーザ６は撮影空間３に入り、筐体１に相対する向き、つまり正面に向いて撮影操作を行なう。そして、撮影の後、編集空間４ａまたは編集空間４ｂに入り、撮影した画像に、いわゆるお絵描きや落書きと呼ばれるスタンプ画像やテキストなどをタッチペン１４で入力する操作を行なう。なお、ユーザ６がどちらの編集空間で編集操作を行なうかは、写真自動販売機の利用回数（ｎ）すなわち該当するユーザ６のグループが何番目に利用したかで決定される。この処理に関しては図１７を用いて後に詳細を説明する。
【００３３】
さらに、撮影空間３内には、被写体を背後から照明するための照明部１８ｄ〜１８ｆ（前述の照明部１８ａ〜１８ｃおよび照明部１８ｄ〜１８ｆを代表させて照明部１８という）が配置される。
【００３４】
撮影空間３の天井面には、ＢＧＭや操作方法などのアナウンスを出力するスピーカ２３ａ，２３ｂが備えられる。また、筐体１の内部にも、スピーカ２３ｃ，２３ｄが備えられる。また、編集空間４ａおよび編集空間４ｂの天井面には、それぞれＢＧＭ、操作方法などのアナウンスを出力するスピーカ２３ｅ，２３ｆが備えられる。
【００３５】
写真自動販売機の外部の一方、または両側面には、撮影中ランプ７が備えられる。撮影中ランプ７は、点灯または点滅することで、現在、当該写真自動販売機が撮影中であることを外部に対して案内する。
【００３６】
次に、図２（Ａ）に、かかる写真自動販売機の筐体１の正面を、撮影操作を行なう側から見た斜視図を示す。
【００３７】
図２（Ａ）を参照して、筐体１の正面には、被写体を撮像するためのカメラ２１と、カメラ２１による撮影を開始する指示を受付けるためのレリーズスイッチ２０と、カメラ２１から撮像される映像をリアルタイムに表示してユーザに撮像される映像を視覚確認させるためのライブモニタ２２と、デモ画面や撮影中の操作手順などを表示するため及びユーザ６からの指示操作を受付けるためのタッチパネルディスプレイ２４と、対価である硬貨を投入するためのコイン投入口２６と、投入された不良硬貨を排出するコイン返却口２７と、前面のメンテナンスなどを行なうためのフロンドア２８とが備えられる。
【００３８】
さらに筐体１の側面にはプリント取出口８が設けられ、ユーザ６はプリント取出口８からできあがりのシールなどの印刷媒体を受取る。また、ゴミなどの進入を防ぐためにプリント取出口８には、開閉可能なカバーが備えられる。
【００３９】
また、プリント取出口８上部にはプリント案内部１５が配置される。図２（Ｂ）は、プリント案内部１５の具体例を示す図である。図２（Ｂ）を参照して、プリント案内部１５には、印刷ランプ９ａ，９ｂ、用紙切れランプ１０、およびエラーランプ１１が備えられる。これらが点灯あるいは点滅することによって、印刷中であることや、あるいは印刷中に用紙切れ、インク切れ、用紙詰り、メカニカルエラーなどのエラーが発生していることが通知される。本実施の形態においては編集空間４が２箇所に存在する構成であるため、現在どちらの編集空間４でプレイを行なったユーザ６のシールを印刷中なのかわかるように、各々の編集空間４でプレイを行なったユーザ６のシールを印刷中であることを示す印刷ランプ９ａ，９ｂが備えられえることが好ましい。なお、印刷ランプ９ａ，９ｂを代表させて、印刷ランプ９と言う。
【００４０】
カメラ２１は、一般的にデジタルカメラが用いられる。一般的なデジタルカメラで設定できる項目（たとえばシャッタースピード、絞り値、露出補正、ホワイトバランスなど）の変更や、撮影タイミングは、コンピュータ装置１０１ａ（図６参照）から指示される。
【００４１】
次に、図３に、かかる写真自動販売機を編集空間４ａ側から編集部４０１ａを見た斜視図を示す。
【００４２】
図３を参照して、筐体１の背面には編集筐体２ａが備えられる。編集筐体２ａには、撮影により得られた画像を表示して画像の編集を受付ける１つまたは複数のタブレットディスプレイ１３ａと、画像入力を行なうための複数のタッチペン１４ａ，１４ｂとが備えられる。これらで編集部４０１ａが構成される。また、編集空間４ａの周囲には利用者のプライバシーに配慮するためにカーテン４０ｂが備えられる（図１参照）。
【００４３】
次に、図４に、かかる写真自動販売機を編集空間４ｂ側から編集部４０１ｂを見た斜視図を示す。
【００４４】
図４を参照して、背景部５の背面には編集筐体２ｂと備えられる。編集筐体２ｂには、撮影により得られた画像を表示して画像の編集を受付ける１つまたは複数のタブレットディスプレイ１３ｂと、画像入力を行なうための複数のタッチペン１４ｃ，１４ｄとが備えられる。これらで編集部４０１ｂが構成される。また、編集空間４ｂの周囲には利用者のプライバシーに配慮するためにカーテン４０ｃが備えられる（図１参照）。
【００４５】
次に、図５に、かかる写真自動販売機の背景部５の正面から見た斜視図を示す。
【００４６】
図５を参照して、背景部５は、背景画像が表わされる表示媒体である１つまたは複数のロールスクリーン４１と、ロールスクリーン４１と対になって背景部５の上部に固定されて、該ロールスクリーン４１を巻取り、繰出しするための巻取装置４２と、巻取装置４２を駆動するモータ（不図示）とを含んで構成される。
【００４７】
背景部５にロールスクリーン４１が複数備えられる場合、それぞれのロールスクリーン４１には異なる背景画像が表わされる。このようにすることで多様な背景画像が得られる。撮影時に用いられるロールスクリーン４１は、タッチパネルディスプレイ２４にてユーザ６が所望の背景を選択操作することにより自動的にセットされてもよいし、背景選択専用のボタンなどを設置し、該背景選択ボタンを押下することにより自動的にセットされてもよい。また、モータを備えず、ユーザ６が手動で操作してロールスクリーン４１をセットしても構わない。
【００４８】
また、背景部５におけるロールスクリーン４１のセット方法は、上述のような巻取り繰出し式でなくてもよく、エンドレスベルト状の輪転式などでもよい。また、引出し式など、背景カーテンをユーザ６の手動操作によりセットする形態でもよい。
【００４９】
次に、かかる写真自動販売機の機能構成の具体例を図６に示す。
【００５０】
図６を参照して、本実施の形態にかかる写真自動販売機は、本写真自動販売機を動作させるための、主に撮影処理などを実行するコンピュータ装置１０１ａと、主に編集処理などを実行するコンピュータ装置１０１ｂと（これらを代表してコンピュータ装置１０１という）、基板から構成され、動作中のコンピュータ装置１０１からの指示を受付けて、接続されている各種装置を制御する制御部１０２とを備える。
【００５１】
コンピュータ装置１０１ａは、カメラ２１、ライブモニタ２２、タッチパネルディスプレイ２４、筐体１の内部にあるプリンタ１２、および制御部１０２と接続され、それらを制御する。コンピュータ装置１０１ｂは、編集部４０１ａ，４０１ｂに備えられるタブレットディスプレイ１３ａ，１３ｂ、タッチペン１４ａ〜１４ｄ、外部と通信するための通信端末１１０、および筐体１の内部にある制御部１０２と接続され、それらを制御する。さらに、コンピュータ装置１０１ａとコンピュータ装置１０１ｂとは互いに接続され、画像データや情報データなどの授受をピアツーピアで行なう。
【００５２】
なお、各コンピュータ装置１０１ａ，１０１ｂに各々接続される構成要素はこのような形態に限定されず、機能ごとに分かれていたり、位置ごとに分かれていたりしてもよい。さらに、コンピュータ装置１０１は本実施形態のような２台で構成されていなくてもよく、１台で構成されてもよいし、２台以上で構成されてもよい。
【００５３】
コンピュータ装置１０１は、コンピュータ装置１０１の制御を行なう演算装置であるＣＰＵ（Central Processing Unit）と、装置を動作させるためのプログラムおよびプログラムで必要なグラフィックデータ、音声データ、撮影された画像や撮影画像に対して入力した編集画像その他の各種画像などを記憶する記憶部と、プログラムの一時的な作業領域ともなるメモリと、カメラ２１、プリンタ１２、タブレットディスプレイ１３などの周辺機器を制御するためのソフトウェアであるドライバとを含む。また、コンピュータ装置１０１はＬＡＮケーブルを介して外部機器と接続された場合に通信を行なう通信部を備えていてもよい。
【００５４】
プリンタ１２は、撮影された画像を紙やシールや金属やプラスチックなどの印刷媒体に印刷するためのプリンタであって、昇華型プリンタやサーモオートクローム方式（光定着型直接感熱記録方式）等のプリンタが一般的に用いられる。なお、本実施の形態においてはプリンタ１２でシールが印刷されるものとして説明を行なうが、印刷媒体はシールに限定されず、他の印刷媒体であっても同様の処理が実行される。プリンタ１２は、上述の用紙切れなどの状態をコンピュータ装置１０１ａに通知する。コンピュータ装置１０１ａは、その状態に応じて制御部１０２に制御信号を送信する。
【００５５】
通信端末１１０は、本写真自動販売機で使用するために外部で用意された画像を外部装置から受信したり、本写真自動販売機で作成される画像を外部の端末やサーバなどに送信したりするための無線通信可能な端末であって、ＰＨＳ（Personal Handyphone System）などが用いられる。ＰＨＳはカード型のものを用いてもよい。また、外部の端末やサーバなどとインターネット網などのネットワーク網を通じて送受信可能なものであれば、通信端末１１０はＰＨＳに限定されない。
【００５６】
電源スイッチ３１が押され、本写真自動販売機に電源プラグより電源が投入されると、上記プログラムが起動されて、コンピュータ装置１０１ａは、接続されるカメラ２１のシャッタタイミングや、ライブモニタ２２での表示や、タッチパネルディスプレイ２４での表示やプリンタ１２での出力を制御する。コンピュータ装置１０１ｂは、接続されるタブレットディスプレイ１３ａ，１３ｂでの表示を制御する。
【００５７】
コンピュータ装置１０１ａは、上記プログラムの実行や撮影部のタッチパネルディスプレイ２４から受信した、ユーザ６の指などでタッチされることによって行なわれる入力操作にしたがった指示信号に基づいて、制御部１０２に対して制御信号を送信する。
【００５８】
また、コンピュータ装置１０１ａは、カメラ２１で撮影された画像を受信し該画像データを記憶部へ記憶する。
【００５９】
コンピュータ装置１０１ｂは、上記プログラムの実行や、編集部４０１ａおよび編集部４０１ｂのタブレットディスプレイ１３ａ，１３ｂから受信した、タッチペン１４ａ〜１４ｄなどでタッチされることによって行なわれる入力操作にしたがった指示信号に基づいて、制御部１０２に対して制御信号を送信する。
【００６０】
また、コンピュータ装置１０１ｂは、携帯端末やＰＣなどの外部端末から送信されてくる画像データ等を、通信端末１１０を介して受信する。これとは逆に、コンピュータ装置１０１ｂはコンピュータ装置１０１ｂに記憶されている画像データ等を通信端末１１０から所定のネットワークおよびサーバを介して携帯端末やＰＣなどの外部端末へ送信することもできる。
【００６１】
また、本写真自動販売機は、電源を必要とするコンピュータ装置１０１、照明装置３０、制御部１０２などの電源系統を制御する電源制御部１０３を備え、外部からそれらの装置に対する電源の電圧を安定させるよう制御する。さらに、そのような電源の投入および切断は、電源スイッチ３１を押すことで行なわれる。しかし、電源切断によりコンピュータ装置１０１で動作しているプログラムを強制的に終了させることは、動作を不安定にさせる原因となる。そのため、電源が落とされても、しばらくはＵＰＳ（Uninterrupted Power Supply）１０４が電源をバックアップし、コンピュータ装置１０１に停電信号を送信する。その間に、コンピュータ装置１０１はプログラムの終了の手続を行ない、プログラムを正常に終了させる。一方、コンピュータ装置１０１を正規の手順で終了した場合は、その旨の信号がＵＰＳ１０４に送信される。
【００６２】
制御部１０２は、コンピュータ装置１０１および電源制御部１０３の他に、レリーズスイッチ２０、フラッシュ制御部１０６、スピーカ２３ａ〜２３ｆ、サービスパネル１０５、コイン制御部１０７、撮影中ランプ７、印刷ランプ９、用紙切れランプ１０、エラーランプ１１、および背景部５に接続される。
【００６３】
レリーズスイッチ２０は、ユーザ６が撮影する時にユーザ所望の撮影するタイミングを指示するためのカメラ２１のシャッタ動作を遠隔操作するスイッチである。ユーザ６が、レリーズスイッチ２０を押下すると制御部１０２を介して該制御信号がコンピュータ装置１０１ａに送信され、さらにコンピュータ装置１０１ａから該制御信号がカメラ２１に送信されることによって、カメラ２１は撮影を行なう。
【００６４】
なお、レリーズスイッチ２０と制御部１０２とを接続するケーブルにはＬＥＤ（Light Emitting Diode）などの発光体を配備してもよい。レリーズスイッチ２０を押下すると、カメラ２１のシャッタ動作が行なわれるまでの間、レリーズスイッチ２０側から制御部１２０側へ光が移相していくように見えるように発光体を点灯または点滅させ、ケーブルがすべて光った時にシャッタ動作が行なわれる。もちろん、レリーズスイッチ２０側から制御部１２０側へ光が順次消えていくような形態でもよいし、色が変化していくような形態でもよい。このようにすることで、レリーズスイッチ２０を押下すると視覚的な演出効果が得られると共に、シャッタ動作のタイミングを視覚的にユーザ６に伝えることができるため、顧客満足を向上させることができる。
【００６５】
フラッシュ制御部１０６は、カメラ２１に接続され、カメラ２１におけるシャッタタイミングに応じた同期信号を取得する。そして、カメラ２１のシャッタタイミングに同期させて、フラッシュを発光させるように制御する。なお、フラッシュ制御部１０６は制御部１０２と接続され、発光させるフラッシュ２９ａ〜２９ｈ（これらを代表させてフラッシュ２９と言う）の選定や、フラッシュ２９の発光度の設定がなされる。照明装置３０も同様に制御部１０２と接続され、その照明度合いなどの設定がなされてもよい。
【００６６】
スピーカ２３ａ〜２３ｆは、コンピュータ装置１０１からの指示に従って、制御部１０２を介して指示信号を受信し、写真自動販売機のプレイにおける操作などの案内や、撮影時のＢＧＭなどを出力する。なお、スピーカ２３ａ〜２３ｆから出力する音声のボリュームを調整する音量調整つまみは、サービスパネル１０５に備えられる。
【００６７】
サービスパネル１０５は、投入されたコインの枚数をカウントするコインカウンタ、印刷されたプリントの枚数をカウントするプリントカウンタ、スピーカ２３から出力する音声のボリュームを調整する音量調整つまみ、テストモードを行なうためのテストボタン、およびコインを投入しなくても装置が利用できるようにするためのサービスボタン等を備えるパネルであって、当該写真自動販売機の設置者が各種設定やメンテナンスの操作を行なう際に用いられる。サービスパネル１０５は、サービスボタンの操作などの制御操作が行なわれると、その操作にしたがった制御信号を制御部１０２に対して送信する。
【００６８】
制御部１０２は、コンピュータ装置１０１から受信した制御信号（指示コマンドなど）にしたがって、サービスパネル１０５に対して制御信号を送信する。サービスパネル１０５は、該制御信号に従って、コインカウンタやプリントカウンタを動作させる（たとえば
カウンタを１インクリメントする）。
【００６９】
コイン制御部１０７は、コイン投入口２６に投入されたコインの正当性を検出し、制御部１０２にコインが投入されたことを示す検出信号を送信する。
【００７０】
制御部１０２はコンピュータ装置１０１から受信した制御信号（指示コマンドなど）にしたがって、コイン制御部１０７に対して制御信号を送信する。コイン制御部１０７は、該制御信号にしたがって、コインが投入されないようにコイン投入口２６をブロックすることができる。このことで、たとえば、プレイ中にコイン投入を禁止することができる。
【００７１】
さらに、制御部１０２はコンピュータ装置１０１から受信したコインが投入されたことを示す検出信号にしたがって、撮影中ランプ７に対して制御信号を送信し撮影中ランプ７を点灯させる。
【００７２】
さらに、制御部１０２は、コンピュータ装置１０１ａから、プリンタ１２の状態に応じた制御信号を受信し、該制御信号にしたがって、印刷中ランプ９ａ，９ｂ、用紙切れランプ１０、およびエラーランプ１１を制御する。かかる制御信号によって、印刷中ランプ９ａ，９ｂ、用紙切れランプ１０、およびエラーランプ１１が点灯または点滅する。
【００７３】
また、制御部１０２は、コンピュータ装置１０１ａから、タッチパネルディスプレイ２４に対してユーザ６が所望の背景を選択する入力操作にしたがった指示信号を受信し、該指示信号にしたがって背景部５のロールスクリーン４１の巻取装置４２を駆動するモータの動作を制御する。このようにモータの動作を制御することによって、ユーザ６が選択した背景画像が施されたロールスクリーン４１が背景部５にセットされる。
【００７４】
ここで、撮影空間３における照明部１８の説明を行なう。このような写真自動販売機において、被写体は人間であるユーザ６であることが多い。そこで、本実施の形態においては、被写体が人間であることを前提とする。
【００７５】
原則として、照明部１８は箱体で形成され、その箱体内部にはフラッシュ２９または蛍光灯などの照明装置３０（図６参照）が備えられる。
【００７６】
箱体内面はフラッシュ２９などの光源からの照明を効率よく被写体に照射するために、白色で塗装されるなど反射面としての機能を有する。また、フラッシュ２９の正面には、フラッシュ２９から出射した光を反射させる反射板５１ａ〜５１ｄ（これらを代表させ、反射板５１と言う）（図７参照）が設けられていてもよい。反射板５１には、光を反射させるための白色、銀色、黒色などの加工が施される。これらは、照明部１８の配置される位置や求められる機能によって適宜変更され得る。
【００７７】
さらに、照明部１８の撮影空間３に面する光の出射面には、フラッシュ２９ａ〜２９ｅなどの光源からの光を拡散し、被写体に面状で照射するための拡散板５０ａ〜５０ｇ（これらを代表させて拡散板５０と言う）（図７参照）が設けられる。ただし、照明部１８の構成はこのような構成に限定されるものではなく、照明部１８が配置される位置や求められる機能によって適宜変更され得る。
【００７８】
図７を用いて、照明部１８ａ〜１８ｃの位置について説明する。照明部１８ａ〜１８ｃは、カメラ２１の上方および下方に、筐体１と一体的に備えられ、被写体を正面から照明する。図７は、筐体１を、照明部１８ａ〜１８ｃを含む面で切断した断面図である。
【００７９】
図７を参照して、照明部１８ａ，１８ｂは、カメラ２１の上部に配置され、照明部１８ｃはカメラ２１の下部に配置される。
【００８０】
より具体的には、照明部１８ａ，１８ｂは、図７に示される断面においてカメラ２１よりも上方に位置し、照明部１８ａ，１８ｂが一体となって、上方に向かうにつれてカメラ２１の撮影方向に対して張出す形状、つまり、筐体１を正面側から見た場合に撮影空間３側に張出した形状を奏する。
【００８１】
また、照明部１８ｃは、カメラ２１よりも下方に位置し、下方に向かうにつれてカメラ２１の撮影方向に対して張出す形状、つまり、筐体１を正面側から見た場合に撮影空間３側に張出した形状を奏する。そのカメラ２１の撮影方向に対して張出す距離は、照明部１８ａ，１８ｂが一体となってカメラ２１の撮影方向に対して張出す距離よりも短い。
【００８２】
照明部１８ａ〜１８ｃをこのような構成とすることで、撮影空間３の広さを確保できる。
【００８３】
さらに、各照明部１８ａ〜１８ｃの詳細な構成および機能について、図７〜図１１を用いて説明する。
【００８４】
図８（Ａ）は、照明部１８ａの内部と照明部１８ｂの内部とを正面から見た図である。
【００８５】
図８（Ａ）を参照して、照明部１８ａは、照明部１８ｂの周囲を覆うような形で配置されており、照明部１８ａは、図７に示される断面においては照明部１８ｂよりも上方に位置する。また、照明部１８ｂは、照明部１８ａに周囲を覆われるような形で配置されており、図７に示される断面においては照明部１８ａよりも下方に位置する。
【００８６】
図７および図８（Ａ）を参照して、照明部１８ａは、その内部にフラッシュ２９ａ〜２９ｃと、フラッシュ２９ｂから発光された光を反射する反射板５１ａと、フラッシュ２９ｃから発光された光を反射する反射板５１ｂと、図示されない照明装置３０ａとを含んで構成される。
【００８７】
図８（Ａ）を参照して、フラッシュ２９ａは、照明部１８ａの略中心付近に位置し、カメラ２１の撮影方向に相対して、正面を向いてカメラ２１の前に立った被写体の、髪付近を照射する。
【００８８】
さらに図８（Ａ）を参照して、正面から見て、フラッシュ２９ｂはフラッシュ２９ａの左側斜め下に配置され、フラッシュ２９ｃはフラッシュ２９ａの右側斜め下に配置される。すなわち、フラッシュ２９ｂ，２９ｃは、フラッシュ２９ａを含む縦方向の線に対して線対称となる位置関係で配置される。
【００８９】
図８（Ｂ）は照明部１８ａの内部と照明部１８ｂの内部とを側面から見た図である。
【００９０】
図７および図８（Ｂ）を参照して、フラッシュ２９ｂ，２９ｃは、フラッシュ２９ａより、被写体から遠い側に配置される。
【００９１】
また、図７および図８（Ａ）を参照して、照明部１８ａは、撮影空間３に面する光の出射面に先述した拡散板５０ａを、照明部１８ｂとの上下方向の境界面に拡散板５０ｂを、照明部１８ｂとの左右方向の境界面に拡散板５０ｃ，５０ｄを備える。拡散板５０ａ〜５０ｄには、乳白色のアクリル板やシートなどが用いられる。拡散板５０ａによって光を拡散して出射するため、照明部１８ａから被写体の髪付近に対して柔らかい光質の光を出射できる。また、拡散板５０ｂ〜５０ｄは照明部１８ａと照明部１８ｂとを区分し、照明部１８ａから出射される光と照明部１８ｂから出射される光との直接的な干渉を防止している。
【００９２】
さらに、拡散板５０ｂ〜５０ｄによって、それぞれの照明部１８から照射される光が互いに間接的に干渉する。このことにより、照明部１８ａから出射される光と照明部１８ｂから出射される光とが完全に分断されることはないため、不必要な影が映ることや暗くなりすぎることを防止できる。
【００９３】
図９は、照明部１８ｂの斜視図である。
【００９４】
図７および図９を参照して、照明部１８ｂは、その内部にフラッシュ２９ｄと、フラッシュ２９ｄから発光した光を反射する反射板５１ｃとを含んで構成される。
【００９５】
図８（Ａ）を参照して、フラッシュ２９ｄは、照明部１８ｂの略中心より下方付近であって、照明部１８ａのフラッシュ２９ａの下方に位置し、カメラ２１の撮影方向に相対して、正面を向いてカメラ２１の前に立った被写体の、顔付近を照射する。
【００９６】
さらに図７および図９を参照して、照明部１８ｂは、撮影空間３に面する光の出射面に、光を直接透過する透過板５２を、照明部１８ａとの上下方向の境界面に拡散板５０ｂを、照明部１８ａとの左右方向の境界面に拡散板５０ｃ，５０ｄを備える。透過板５２は、透明な板やシートなどが用いられる。また、照明部１８ｂは、図７に示されるように、カメラ２１の上方に、カメラ２１を含む面に接して位置し、その透過板５２の下辺はカメラ２１を含む面と接している。
【００９７】
照明部１８ａに設けられる拡散板５０ａと照明部１８ｂの透過板５２とは、透過板５２の下辺以外の辺を囲むように一体的に形成される。いうまでもなく、下辺を含むすべての辺を囲むように形成されてもよい。拡散板５０ａと透過板５２とは一体となって、下方に向かうにつれてカメラ２１の撮影方向と反対方向に落込むように傾斜して配置される。このような構成であることで、照明部１８ａ，１８ｂは、撮影時には後に説明する照明部１８ｃに向かって光を照射しやすい。
【００９８】
上述のように、照明部１８ａと照明部１８ｂとでは、光の出射面が異なるように形成されている。そのため、照明部１８ａと照明部１８ｂとでは、出射する光の光質が異なる。具体的には、照明部１８ａは、拡散板５０ａによって光を拡散して、柔らかい光質の光を、主に被写体の髪付近に対して出射する。一方、照明部１８ｂは、透過板５２によって光を直接透過して、硬くてシャープな光質の光を拡散せず直接に、主に被写体の顔付近に対して出射する。このため被写体の部分ごとに異なる写り具合を実現することができる。
【００９９】
なお、照明部１８ｂの透過板５２が透明であると、内部のフラッシュ２９ｄがむき出しになってしまい見栄えがよくない。このため、透過板５２を、電流を通すとガラスが曇り、すりガラス状になるマジックガラスなどを用いて形成したり、すりガラス状になっている部分と透明部分とを交互に持つストライプ状に形成したりしてもよい。また、通常は目隠し用の板を出射面に配置しておき、撮影時に透過板が出射面に配置されるようにしてもよい。これは、シャッタ式やスライド式や巻取り式などの方法によって実現されるが、限定するものではない。このようにして、照明部１８ｂの中が見えにくいようにしておくことが好ましい。
【０１００】
図１０は、照明部１８ｃの斜視図である。
【０１０１】
図７および図１０を参照して、その内部にフラッシュ２９ｅと、フラッシュ２９ｅから発光された光を反射する反射板５１ｄと、図示されない照明装置３０ａとを含む。
【０１０２】
また、撮影空間３に面する光の出射面に、上部から順に３面の拡散板５０ｅ〜５０ｇを備える。
【０１０３】
図１０を参照して、フラッシュ２９ｅは、照明部１８ｃの略中心付近に位置し、拡散板５０ｇを介して出射される光は、カメラ２１の撮影方向に相対して、正面を向いて撮影空間３内の後方に立った被写体の、足元付近を照射する。また、拡散板５０ｅ，５０ｆを介しては、照明部１８ａ，１８ｂ方向へ出射される。
【０１０４】
３面の拡散板５０ｅ〜５０ｇは、各々、水平方向の傾斜角を異なるように形成される。より具体的に、拡散板５０ｅは床面に対する傾斜角を拡散板５０ｆの床面に対する傾斜角よりも大きく形成され、拡散板５０ｇは床面に対して垂直に形成されている。ここでは、このように拡散板５０を分けて出射面を形成しているが、限定するものではなく上述のような角度の出射面を形成するものであれば一体的に形成されていても構わない。
【０１０５】
また、拡散板５０ｅ〜５０ｇは、下方に向かうにつれてカメラ２１の撮影方向に対して張出すように傾斜して配置される。このような構成であることで、照明部１８ｃは、撮影時には照明部１８ａ，１８ｂに向かって光を照射しやすい。
【０１０６】
このように照明部１８ｃを形成することによって、図１１に示されるように、ユーザ６は照明部１８ｃの拡散板５０ｅが形成する面に腕を置き、拡散板５０ｆが形成する面に肘を付いて撮影ができるようになっている。そこで、拡散板５０ｆの高さは、ユーザ６の肘程度の高さであることが好ましい。または、拡散板５０ｆの高さがユーザ６の肘程度の高さとなるよう、撮影空間３の下方（床面）に踏み台などが備えられていてもよい。このため、撮影時に、ユーザ６が肘をつくことができて、肘をついたポーズが容易に撮影できる。また、肘をついて撮影することにより、リラックスした雰囲気で撮影ができるため、表情が柔らかくなりやすいため、ユーザ６の望むような写真が得られやすくなる。
【０１０７】
次に、図１２を用いて、照明部１８とカメラ２１との位置関係について説明する。カメラ２１は、照明部１８ａ，１８ｂと照明部１８ｃとの間に配置される。
【０１０８】
図１２は、筐体１に備えられる照明部１８ａ〜１８ｃを正面から見た図であり、図１２を参照して、カメラ２１を含む面のカメラ２１の右側には、タッチパネルディスプレイ２４が備えられ、カメラ２１を含む面のその部分は、光が透過しないように構成されている。このため、光のバランスが崩れないように、カメラ２１を含む面のカメラ２１の左側にも光を透過しないような不透過部材が備えられ、光が透過しないように構成されている。
【０１０９】
また、ちょうどカメラ２１を含む面と同じ高さに被写体の瞳が位置することが多いため、不透過部材やカメラ２１の周囲には黒色が施されている。このようにすることで、被写体の瞳を黒くはっきりした写り具合にすることができる。また、黒味が入ることにより顔の写り具合が引き締まった印象となる。
【０１１０】
このようにして、筐体１と一体化して備えられる照明部１８ａ〜１８ｃは、側方から見てカメラ２１が配置される面を谷とした「くの字型」を奏する凹型に配置される。すなわち、カメラ２１の撮影方向（光軸方向）に略直交する方向に、カメラ２１を有する面を谷とする凹型を形成する。このような「くの字型」に照明部１８ａ〜１８ｃを配置することにより、光が直接被写体に向けて照射されずに、照明部１８ａ，１８ｂから照射した光が照明部１８ｃに反射し、照明部１８ｃから照射した光が照明部１８ａ，１８ｂに反射し光が互いに干渉しあい散乱することにより、間接的な柔らかい光質の光を被写体全体に照射することができる。このようにすることにより、直接被写体に光を照射する場合よりも柔らかい照明効果を実現することができ、出来上がりが美しい画像が得られる。また、平面状に照明部１８ａ〜１８ｃを構成した場合よりも、光の陰影が出るため、写り具合が立体的になる。
【０１１１】
このように「くの字型」を奏する凹型に照明部１８を形成することで、全体的にふんわりと柔らかそうな質感で写すことを可能とする。このため、このような写真自動販売機を利用することが多い世代の好みにあった写真が撮影できる。
【０１１２】
具体的に、図１３および図１４を用いて、各照明部１８ａ〜１８ｃから照射される光の方向について説明する。
【０１１３】
図１３は、照明部１８ａの略中央に含まれるフラッシュ２９ａ、照明部１８ｂの略中央に含まれるフラッシュ２９ｄ、および照明部１８ｃに含まれるフラッシュ２９ｅを用いた場合の、照明部１８ａ〜１８ｃから出射される光の方向を簡略的に表わす図である。
【０１１４】
図１３を参照して、照明部１８ａに含まれるフラッシュ２９ａから出射された光は、箱体で構成される照明部１８ａの内側で反射を繰返し、拡散板５０ａで光が拡散され撮影空間３に向けて出射される。この光は被写体全体を照射するが、特に、照明部１８ａが図示される位置に配置されることから、被写体の頭頂部付近を柔らかい光で照射する。また、図１３には示されていないが、フラッシュ２９ａから出射された光の一部は、照明部１８ａと照明部１８ｂとの境目に構成される拡散板５０ｂ〜５０ｄで拡散されて照明部１８ｂにも入射し、照明部１８ｂの透過板５２からも出射される。
【０１１５】
照明部１８ｂに含まれるフラッシュ２９ｄから出射された光は、銀色の反射板５１ｃによって反射し、透過板５２を通して直接被写体の顔付近を照射する。また、図１３には示されていないが、フラッシュ２９ｄから出射された光の一部は、照明部１８ａと照明部１８ｂとの境目に構成される拡散板５０ｂ〜５０ｄで拡散されて照明部１８ａにも入射し、照明部１８ａの拡散板５０ａからも出射される。
【０１１６】
照明部１８ｃに含まれるフラッシュ２９ｅから出射された光は、拡散板５０ｅ，５０ｆで拡散されて照明部１８ａ，１８ｂ方向へ出射される。また、拡散板５０ｇで拡散されて、被写体の足元付近を照射する。
【０１１７】
つまり、照明部１８による照明を、照明部１８ａの略中央に含まれるフラッシュ２９ａ、照明部１８ｂの略中央に含まれるフラッシュ２９ｄ、および照明部１８ｃに含まれるフラッシュ２９ｅを用いた構成とすることにより、図１３に示されるような照明が行なわれ、被写体の顔を全体的にシャープな印象で撮影することができる。また、被写体髪の毛などの部分はこのようなシャープな光質の光を照射して撮影すると、痛んだ髪などを目立たせてしまうことになるが、髪の毛へは照明部１８ａからソフトな光質の光を照射することにより、顔はシャープで、髪の毛はソフトという理想的な写り具合を実現することができる。
【０１１８】
また、照明部１８ａの略中央に含まれるフラッシュ２９ｄのみで撮影すると顔だけに光が当たりすぎてしまい、顔以外の頭部分などが影になってしまうが、他のフラッシュと組合わせる構成とすることで、自然な美しい写り具合を実現できる。
【０１１９】
図１４は、照明部１８ａの略中央より斜め下に含まれるフラッシュ２９ｂ，２９ｃ、照明部１８ｂに含まれるフラッシュ２９ｄ、および照明部１８ｃに含まれるフラッシュ２９ｅを用いた場合の、照明部１８ａ〜１８ｃから出射される光の方向を簡略的に表わす図である。
【０１２０】
図１４を参照して、照明部１８ａに含まれるフラッシュ２９ｂ，２９ｃから出射された光は、各々黒色の反射板５１ａ，５１ｂで反射し、箱体で構成される照明部１８ａの内側で反射を繰返し、拡散板５０ａで光が拡散され撮影空間３に向けて出射される。この光は被写体全体を照射するが、特に、照明部１８ａが図示される位置に配置されることから、被写体の頭頂部付近を柔らかい光で照射する。また、図１４には示されていないが、フラッシュ２９ｂ，２９ｃから出射された光の一部は、照明部１８ａと照明部１８ｂとの境目に構成される拡散板５０ｂ〜５０ｄで拡散されて照明部１８ｂにも入射し、照明部１８ｂの透過板５２からも出射される。
【０１２１】
照明部１８ｂに含まれるフラッシュ２９ｄから出射された光は、上述のように、銀色の反射板５１ｃによって反射し、透過板５２を通して直接被写体の顔付近を照射する。また、その一部は、照明部１８ａと照明部１８ｂとの境目に構成される拡散板５０ｂ〜５０ｄで拡散されて照明部１８ａにも入射し、照明部１８ａの拡散板５０ａからも出射される。
【０１２２】
照明部１８ｃに含まれるフラッシュ２９ｅから出射された光は、上述のように、拡散板５０ｅ，５０ｆで拡散されて照明部１８ａ，１８ｂ方向へ出射される。また、拡散板５０ｇで拡散されて、被写体の足元付近を照射する。
【０１２３】
つまり、照明部１８による照明を、照明部１８ａの略中央より斜め下に含まれるフラッシュ２９ｂ，２９ｃ、照明部１８ｂに含まれるフラッシュ２９ｄ、および照明部１８ｃに含まれるフラッシュ２９ｅを用いた構成とすることにより、図１４に示されるような照明が行なわれ、被写体を全体的にソフトな印象で撮影することができる。
【０１２４】
あるいは、照明部１８ａと照明部１８ｂとに、それぞれ補助的なフラッシュ２９を備えてもよい。このようにすることで、光量が弱くなることを防止することができる。
【０１２５】
また、照明部１８ａと照明部１８ｂとで異なる光質を実現するために、照明部１８ａと照明部１８ｂとの光源であるフラッシュ２９の光量が異なるように形成してもよいし、フラッシュ２９の位置や反射板５１の位置や材質や色によって光質を調整してもよい。また、照明部１８ａは通常写真自動販売機で用いられことが多いストロボを使用し、照明部１８ｂはオパライトを使用するなど、発光特性の異なるフラッシュを用いることにより異なる光質を実現してもよい。なお、異なる光質は、発光特性の違いや材質の違いなどの光質の決定要素が複数組合わせされて実現されてもよいし、単独の光質の決定要素で実現されてもよい。
【０１２６】
このように、本実施の形態にかかる写真自動販売機における照明部の構成によって、フラッシュ２９ａ，２９ｄを用いたシャープな写り具合と、フラッシュ２９ｂ，２９ｃを用いたソフトな写り具合とのいずれの写り具合も、１つの写真自動販売機で実現できる。そのため、ユーザ６の個々の好みに対応した写り具合を実現できる。また、このような構成にすることにより、コストを軽減できる。
【０１２７】
なお、このように被写体の正面を写す照明部１８は「くの字型」に形成され、それぞれの照明部１８の光を出射する面は平面で構成されている形態に限定されず、たとえば、図１５（Ａ）に示されるように、光を出射する面が曲面で構成され、「お椀型」に形成されていてもよい。あるいは、図１５（Ｂ）に示されるように、照明部１８ａ，１８ｂにあたる上部が曲面、照明部１８ｃにあたる下部が平面で構成されてもよいし、図１５（Ｃ）に示されるように、照明部１８ａ，１８ｂにあたる上部が平面、照明部１８ｃにあたる下部が曲面で構成されていてもよい。このようにすることにより、前述のように、上部の照明部１８と下部の照明部１８とから光を直接被写体へ照射するのでなく、間接的な柔らかい照射を行なうことができる。
【０１２８】
次に、図１６を用いて、照明部１８ｄ〜１８ｆの位置について説明する。照明部１８ｄ〜１８ｆは、撮影空間３の後方や上方に当たる部分に配置され、被写体を背後から照明する。
【０１２９】
図１６を参照して、照明部１８ｄは撮影空間３内の後方の天井面に配置され、照明部１８ｅ，１８ｆは撮影空間３内の後方の両側面にそれぞれ配置される。
【０１３０】
照明部１８ｄは、その内部にフラッシュ２９ｆを備える。また、その後方が下がるように傾斜して配置される、図示されない拡散板を備える。フラッシュ２９ｆから出射される光はその拡散板で拡散されて、撮影時には、撮影空間３の略中央に位置する被写体の頭頂部後方部分を照射する。
【０１３１】
照明部１８ｅ，１８ｆは、各々その内部にフラッシュ２９ｇ，２９ｈを備える。また、各々、その面が撮影空間の略中心方向を向くように配置された、図示されない拡散板を備える。フラッシュ２９ｇ，２９ｈから出射される光は各々その拡散板で拡散されて、撮影時には、撮影空間の略中央に位置する被写体の左右斜め後方部分を照射する。
【０１３２】
さらに図１６を参照して、照明部１８ｄ〜１８ｆの内部に備えられる図示されない拡散板の前面には、フラッシュ２９から出射し拡散板５０から拡散して出射する光を擬似的に平行光とするためのグリッドと呼ばれる格子状の部材が配備される。また、グリッドの前面にはグリッドの格子の中にゴミなどがつまったり、ユーザ６によってゴミなどを入れられたりすることを防止するために、光を透過する透明な保護部材が備えられることが好ましい。
【０１３３】
このように、被写体の頭部付近を被写体の背後から照射することにより、髪の毛が美しく撮影できる。
【０１３４】
なお、言うまでもなく、写真自動販売機の形態は図１〜図１６に示される具体例に限定されるものではない。すなわち、図１〜図１６に記載されない他の機能が備えられていてもよいし、図１〜図１６に記載されている機能の必ずしもすべてが備えられていなくても構わない。たとえば、プリンタ１２は写真自動販売機本体に含まれていなくてもよく、その場合、写真自動販売機は、ＬＡＮ等の専用回線や無線通信等を介して印刷制御信号をプリンタ１２に出力するものとする。
【０１３５】
次に、本実施の形態にかかる写真自動販売機の処理について、図１７を用いて説明する。図１７のフローチャートに示される写真自動販売機の処理は、コンピュータ装置１０１のＣＰＵが、記憶部に記憶されるプログラムをメモリに読出して実行することによって実現される。
【０１３６】
図１７を参照して、始めに、当該写真自動販売機に備わる電源スイッチ３１が投入されて各種装置の電源が投入される。すると、コンピュータ装置１０１の記憶部に格納された動作プログラムが起動する。コンピュータ装置１０１は、各種装置が正常に接続されているかチェックし、初期化が必要な装置に対しては初期化を行なう（Ｓ１００）。このとき、写真自動販売機の利用回数（ｎ）の初期化も同時に行なわれる。たとえば、記憶部の所定のファイルに利用回数（ｎ）の値を記憶し、その値を０にすることなどによって初期化が行なわれる。その後、当該写真自動販売機の利用を促すタイトルデモをディスプレイ２４に表示し、同時に音声をスピーカ２３ａ〜２３ｄから出力する（Ｓ１０５）。
【０１３７】
タイトルデモが表示されている状態において、テストボタンの押下（Ｓ１１０）と所定の対価受付とが監視される（Ｓ１２０）。
【０１３８】
テストボタンが押下されると（Ｓ１１０でＹＥＳ）、当該写真自動販売機のメンテナンスを行なうためのテストモードが起動する（Ｓ１１５）。テストモードは、写真自動販売機の設置者が写真自動販売機を操作するためのモードであり、このモードにおいては当該写真自動販売機の利用状況（たとえばコイン投入数など）の確認や、利用回数（ｎ）の初期化や設定、利用できる編集部の設定、カメラ２１、プリンタ１２など周辺機器の調整を行なうことができる。ここで写真自動販売機の設置者とは、当該写真自動販売機を設置し営業を行なっている店舗などの経営者、管理者、および従業員であり、営業中に、利用者に対応できるものである。
【０１３９】
テストボタンが押下されておらず（Ｓ１１０でＮＯ）、コイン投入口２６において、当該写真自動販売機を利用するためのコインの投入（所定の対価）を受付けると（Ｓ１２０でＹＥＳ）、受付けたコインは、コイン制御部１０７において正当性や枚数等が検知される。そして、正常にコインを受付けるとプレイが開始され、さらに、当該写真自動販売機の利用回数（ｎ）がカウントされる（Ｓ１２５）。この利用回数（ｎ）のカウントには、写真自動販売機を無料で利用させる機能が備わる場合、その利用回数が含められてもよいし、含められなくてもよい。
【０１４０】
なお、利用回数（ｎ）をカウントするタイミングは、上述のような正当な対価の検出によって行なうものに限定されるものではなく、たとえば、撮影終了時、または印刷終了時など、写真自動販売機におけるプレイが行なわれたと判定できるようなタイミングであればいつでもよい。
【０１４１】
写真自動販売機のコンピュータ装置１０１のＣＰＵは、利用回数（ｎ）が奇数である場合には編集空間４ａに、利用回数（ｎ）が偶数の場合には編集空間４ｂにユーザ６を誘導するよう、処理を割当てる。または、利用回数（ｎ）が偶数の場合には編集空間４ａに、利用回数（ｎ）が奇数の場合には編集空間４ｂにユーザ６を誘導するよう処理を割当ててもよい。また、編集空間４に関する処理の割当はこのような形態に限定されず、ユーザ６が編集操作で使用したい編集空間４を選択し、その選択に従って割当ててもよい。なお、編集空間４に関する処理の割当についての設定は、テストモードなどで設置者が設定可能なようにしておくことが好ましい。
【０１４２】
さらに、テストモードにおいて、利用回数を参照しないで編集空間４のいずれか一方のみを利用可能にするような設定ができるようにしてもよい。このようにすることで、装置の故障で２つの編集空間４のいずれかが使用できないという事態が発生したとしても、故障していない方の編集空間４のみを使用するようにできる。また、装置の故障を検出したら、自動的に故障してない方の編集空間４のみを使用するように設定変更がなされるようにしてもよい。
【０１４３】
次に、ステップＳ１２５で利用回数（ｎ）がカウントされた後、撮影コースの選択を受付ける（Ｓ１３０）。本実施の形態においては、撮影方法に複数のコースがあるものとする。ステップＳ１３０では、撮影コースの選択肢をタッチパネルディスプレイ２４に提示し、好みの撮影コースをユーザ６から受付ける。
【０１４４】
具体的に撮影コースとしては「ノーマル撮影」コースと「フリー撮影」コースとがあり、タッチパネルディスプレイ２４に表示される選択肢の該当領域をユーザ６の指などでタッチすることにより選択を受付ける。そして、選択された撮影コースが「ノーマル撮影」なら（Ｓ１３０でＹＥＳ）該コースの撮影方法で撮影が開始され（Ｓ１３５）、選択された撮影コースが「フリー撮影」なら（Ｓ１３０でＮＯ）該コースの撮影方法で撮影が開始される（Ｓ１４０）。各々の撮影処理については、さらにサブルーチンを挙げて後述する。
【０１４５】
ステップＳ１３５での「ノーマル撮影」またはステップＳ１４０での「フリー撮影」が終了すると、ステップＳ１２５でカウントされた写真自動販売機の利用回数（ｎ）が、奇数回目なら（Ｓ１４５でＹＥＳ）、編集部４０１ａが利用可能かどうかが監視される（Ｓ１５０）。先にプレイしている別グループの利用者が利用中または故障中であるなど、編集部４０１ａが利用不可な状態であれば（Ｓ１５０でＮＯ）、タッチパネルディスプレイ２４に待機表示、またはエラーの案内表示をし、スピーカ２３ａ〜２３ｄから音声で待機、またはエラーの案内を出力することにより、ユーザ６を撮影空間３で待機させるように促す（Ｓ１５５）。
【０１４６】
編集部４０１ａが利用可能な状態であれば（Ｓ１５０でＹＥＳ）、タッチパネルディスプレイ２４に編集部４０１ａのある編集空間４ａへ誘導する案内表示をし、スピーカ２３ａ〜２３ｄから音声で誘導案内を出力することにより、ユーザ６を編集空間４ａに移動させるように促す（Ｓ１６０）。そして、コンピュータ装置１０１ａに記憶されている該ユーザ６の撮影画像データをコンピュータ装置１０１ｂの記憶部の編集部４０１ａでの処理実行用の領域へ転送し（Ｓ１６５）、処理を編集処理へ移行する（Ｓ１９０）。
【０１４７】
一方、ステップＳ１２５でカウントされた写真自動販売機の利用回数（ｎ）が、偶数回目なら（Ｓ１４５でＮＯ）、編集部４０１ｂが利用可能かどうかが監視される（Ｓ１７０）。先にプレイしている別グループの利用者が利用中または故障中であるなど、編集部４０１ｂが利用不可な状態であれば（Ｓ１７０でＮＯ）、タッチパネルディスプレイ２４に待機表示、またはエラーの案内表示をし、スピーカ２３ａ〜２３ｄから音声で待機、またはエラーの案内を出力することにより、ユーザ６を撮影空間３で待機させるように促す（Ｓ１７５）。
【０１４８】
編集部４０１ｂが利用可能な状態であれば（Ｓ１７０でＹＥＳ）、タッチパネルディスプレイ２４に編集部４０１ｂのある編集空間４ｂへ誘導する案内表示をし、スピーカ２３ａ〜２３ｄから音声で誘導案内を出力することにより、ユーザ６を編集空間４ｂに移動させるように促す（Ｓ１８０）。そして、コンピュータ装置１０１ａに記憶されている該ユーザ６の撮影画像データをコンピュータ装置１０１ｂの記憶部の編集部４０１ｂでの処理実行用の領域へ転送し（Ｓ１８５）、処理を編集処理へ移行する（Ｓ１９０）。
【０１４９】
ユーザ６は前述のような案内に従って編集空間４ａまたは編集空間４ｂへ移動する。そして、以降のユーザ６の操作は、編集空間４ａまたは編集空間４ｂで行なわれる。
【０１５０】
このように編集操作をする空間を複数用意することにより、編集時間を長くすることができたり、順番待ちの時間を短縮することができたりし、ユーザ６の顧客満足度を向上させることができる。また、順番待ちの時間を短縮できるため、本写真自動販売機の稼動回転率を向上することができる。さらに、ユーザ６を編集空間４ａと編集空間４ｂとにおいて交互に編集させるため次々にユーザ６が入替わり、順番を待機している利用者には人気機種に写ってさらなる集客効果が得られる。
【０１５１】
なお、ステップＳ１９０以降の編集空間４ａおよび編集空間４ｂでの編集処理の内容は、場所や位置、装置などは異なるが、同様な構成であり、同様な処理が行なわれるため、説明の重複部分は繰返さない。各編集空間４での処理はコンピュータ装置１０１ｂによって制御される。
【０１５２】
ステップＳ１９０においては、撮影画像に対して、ユーザ６からタッチペン１４により編集入力を受付ける編集処理が行なわれる。その編集入力時間は予め設定されている。そして、タブレットディスプレイ１３上に残り時間が表示されてカウントダウンされ、残り時間が０になると編集入力が終了する。または、画面に用意された「終了」ボタンを押すことで強制的に終了させることもできる。なお、ステップＳ１９０における編集処理については、後に詳述する。
【０１５３】
ステップＳ１９０の編集入力が終了すると、撮影画像と編集入力された画像とを合成し、合成された画像をタブレットディスプレイ１３に表示する。そして、ユーザ６から、シール等の印刷媒体に印刷する画像の取扱いに関する設定や、選択の変更を受付ける（Ｓ１９５）。また、印刷を行なう画像の選択や、編集入力に失敗した画像などを印刷しないような選択を受付けることもできる。ステップＳ１９５における印刷画像の取扱設定についても、後に詳述する。
【０１５４】
そして、ステップＳ１９５で選択された画像の枚数に応じて、予め決められた複数の印刷レイアウトをタブレットディスプレイ１３に表示し、ユーザ６の選択を受付ける（Ｓ２００）。
【０１５５】
ステップＳ１９５およびステップＳ２００において印刷する画像の選択と印刷レイアウトの選択とを受付けると、選択された印刷レイアウトにしたがって印刷画像データが生成され、プリンタ１２から印刷出力される。すなわち、生成された印刷画像データはコンピュータ装置１０１ｂからコンピュータ装置１０１ａへ転送され（Ｓ２０５）、コンピュータ装置１０１ａの制御によって該印刷画像データはプリンタ１２へ出力される。さらに、ユーザ６をプリンタ１２の前に誘導する案内（たとえば「シールは右から出るよ！」）を各編集空間４に配備されているスピーカ２３ｅ，２３ｆまたはタブレットディスプレイ１３ａ，１３ｂより出力する。そして、プリンタ１２で印刷が実行され（Ｓ２０５）、プリント取出口８よりユーザ６に提供される。
【０１５６】
以上の処理が、１組のユーザ６によって本実施の形態の写真自動販売機で行なわれるプレイである。そして、上述の処理が終了すると、次にコインが投入されるまで、再度待機画面が編集空間４に配備されているタブレットディスプレイ１３ａ，１３ｂより出力される。
【０１５７】
なお、上述の実施の形態では、１組のユーザ６が利用する形態を説明したが、図１に示されるとおり、撮影を行なう撮影空間３と撮影された画像に編集を行なう編集空間４とが異なる場所に設置されていることから、２組の利用者が同時に利用することもできる。この場合、先の利用者が撮影を終了し編集空間４に移動するとディスプレイ２４にはデモ画像が表示され、次の利用者のコイン投入を受付ける。そして、コインが投入されると、次の利用者の撮影が開始される。なお、本装置においては、撮影空間３と編集空間４とを異なる位置に設けるように説明したが、これに限定されるものではなく、１つの空間において、撮影および編集が行なわれるようにしてもよい。
【０１５８】
さらに以下に、上述のプレイに含まれるいくつかの処理について、詳細な説明を行なう。
【０１５９】
［ノーマル撮影コース］
上述のステップＳ１３５で実行される「ノーマル撮影」コースについて、図１８のフローチャートを用いてその処理を説明する。
【０１６０】
図１８を参照して、図１７のステップＳ１３０の撮影コース選択において「ノーマル撮影」が選択されると、タッチパネルディスプレイ２４に背景選択画面を表示し、ユーザ６に背景選択を促す（Ｓ３００）。ユーザ６から背景画像が選択されると、コンピュータ装置１０１ａから制御部１０２へ選択された背景画像を示す指示信号が送信される。制御部１０２は、該指示信号に基づいて背景部５の巻取装置４２を駆動するモータを動作させることによって、選択された背景画像を背景部５にセットする。
【０１６１】
次に、ステップＳ３００において背景が選択されると、タッチパネルディスプレイ２４に図１９に示される画質選択画面を表示し、ユーザ６に画質の選択を促す（Ｓ３０５）。ここで言う画質とは撮影画像の撮影画像の明るさや写り具合を指す。
【０１６２】
図１９を参照して、画質選択画面では、柔らかい写り具合の具体例を示す選択肢とシャープな写り具合の具体例を示す選択肢とを選択可能に提示して、どちらか写り具合を選択することができる。また、他の選択肢として、柔らかい写り具合とシャープな写り具合との他に、それらの中間の写り具合や、大人数用、少人数用などの写り具合などの選択肢があってもよい。
【０１６３】
図１９に示される画質選択画面においてユーザ６から画質が選択されると、コンピュータ装置１０１ａから制御部１０２へ選択された画質を示す指示信号が送信される。制御部１０２は、該指示信号に基づいてフラッシュ２９や照明装置３０の選定や設定の変更を行なうことで、その選択に合わせた光質に変更し、選択された画質の撮影画像を実現する。あるいは、カメラ２１の設定を変更したり、コンピュータ装置１０１ａの設定ファイルに基づいて画像処理を撮影画像に施したりすることにより、選択された画質の撮影画像を実現してもよい。
【０１６４】
次に、ステップＳ３０５における画質の選択が終了すると、図示されない写真自動販売機のタイマは計時（カウント）を開始する（Ｓ３１０）。カウントが開始されると所定時間に達しているかが判定され、所定時間に達するまでカウントを継続する（Ｓ３１５でＮＯ）。そして、時間経過と共に「３、２、１」などのカウントダウンをタッチパネルディスプレイ２４あるいはスピーカ２３ａ〜２３ｄに出力する。カウントが終了したと判定されると（Ｓ３１５でＹＥＳ）、撮影が行なわれる（Ｓ３２０）。
【０１６５】
ステップＳ３２０での撮影は、コンピュータ装置１０１ａからカメラ２１に撮影信号が送信されることでシャッタが切られ、同時にフラッシュ制御部１０６によってフラッシュ２９が発光することで実行される。
【０１６６】
１回の撮影が終了すると、連続で撮影する規定回数（ここでは２回）分撮影がされたかが判定され（Ｓ３２５）、規定回数に達するまでステップＳ３２０の撮影が連続して行なわれる（Ｓ３２５でＮＯ）。連続で撮影する規定回数に達している場合（Ｓ３２５でＹＥＳ）、所定のセット数（ここでは連続２回の撮影が３セット）の撮影処理が行なわれたかが判定され（Ｓ３３０）、所定のセット数撮影されていなければ（Ｓ３３０でＮＯ）、ステップＳ３００に処理を戻し、再び背景選択から始まる撮影処理が繰返される。そして、所定のセット数の撮影が終了すると（Ｓ３３０でＹＥＳ）、撮影された撮影画像に対する格付けや順位付けなどの評価付け、取扱いの設定、情報の付加である画像取扱設定が行なわれる（Ｓ３３５）。
【０１６７】
写真自動販売機では１回のプレイで複数回撮影されるが、複数枚の撮影画像の中でも、写りの良し悪しなどでユーザが気に入る画像と気に入らない画像とが存在する。ステップＳ３３５で実行される画像取扱設定とは、撮影した画像を気に入った順で格付け（順位付け）する設定や、撮影した画像を印刷する、携帯端末に送る、「おまけ画像」として印刷するなど利用形態などの設定を指す。すなわち、これらの設定内容を「評価」と定義すると、ステップＳ３３５での画像取扱設定は、画像に対する評価を行なう評価処理と言える。なお、ステップＳ３３５では、撮影した画像すべてを一覧で表示して、すべての画像に対して評価を受付けてもよいし、一部の画像に対してのみ評価を受付けてもよい。
【０１６８】
ステップＳ３３５では、タッチパネルディスプレイ２４に図示されない画像取扱設定画面を表示し、ステップＳ３２０において撮影された撮影画像のすべて、または一部について、各撮影画像についての評価の１つである、取扱上の順位（以降、取扱順位と称する）を表わす取扱順位などの取扱の設定を受付ける。ここでは、画像取扱設定画面において設定対象の撮影画像を選択可能に提示し、ユーザ６が気に入った順番でタッチパネルディスプレイ２４に表示される撮影画像をタッチしていくことで、画像の順位が決定される。
【０１６９】
ステップＳ３３５における画像取扱設定は、画像取扱設定画面に表示される決定ボタンがタッチされるか、所定の時間に達した時点で終了し、図１７のステップＳ１４５へ処理が戻る。
【０１７０】
［フリー撮影コース］
上述のステップＳ１４０で実行される「フリー撮影」コースについて、図２０のフローチャートを用いてその処理を説明する。
【０１７１】
図２０を参照して、図１７のステップＳ１３０の撮影コース選択において「フリー撮影」が選択されると、写真自動販売機のタイマは、予め設定されている「フリー撮影」コースで撮影可能な撮影制限時間までの計時（カウント）を開始する（Ｓ４００）。カウントが開始されると、予め定められた所定の背景画像が背景部５にセットされる（Ｓ４０５）。さらに、予め定められた所定の画質の撮影画像を実現するように各種構成要素が設定され（Ｓ４１０）、レリーズスイッチ２０を押して撮影を行なう旨の案内がタッチパネルディスプレイ２４あるいはスピーカ２３ａ〜２３ｄから出力される。
【０１７２】
次に、ステップＳ４１０における画質の設定が終了すると、写真自動販売機のタイマは１回の撮影制限時間までの計時（カウント）を開始する（Ｓ４１５）。このとき、ユーザ６によってレリーズスイッチ２０が押下されたかどうかが監視され（Ｓ４２０）、レリーズスイッチ２０が押下されたことが判定されると（Ｓ４２０でＹＥＳ）、レリーズスイッチ２０が押下されたタイミングで撮影が行なわれる（Ｓ４３０）。
【０１７３】
一方、レリーズスイッチ２０が押下されていない場合は（Ｓ４２０でＮＯ）、ステップＳ４１５で開始された１回の撮影制限時間までのカウントが終了するまで（Ｓ４２５でＮＯ）、ステップＳ４２０の監視が継続され、１回の撮影制限時間内にレリーズスイッチ２０が押下されない場合には、時間経過と共に「３、２、１」などのカウントダウンがタッチパネルディスプレイ２４あるいはスピーカ２３ａ〜２３ｄから出力される。そして、１回の撮影制限時間までのカウントが終了したことが判定されると（Ｓ４２５でＹＥＳ）、そのタイミングで撮影が行なわれる（Ｓ４３０）。
【０１７４】
ステップＳ４３０での撮影は、コンピュータ装置１０１ａからカメラ２１に撮影信号が送信されることでシャッタが切られ、同時にフラッシュ制御部１０６によってフラッシュ２９が発光することで実行される。
【０１７５】
すなわち、「フリー撮影」コースでは、１回の撮影制限時間までのカウントの終了、またはレリーズスイッチ２０の押下のいずれかにより、シャッタ動作が行なわれる。
【０１７６】
ステップＳ４３０での撮影処理の間、カメラ２１から取得される画像はライブモニタ２２にリアルタイムに表示される。
【０１７７】
１回の撮影が終了すると、引き続いて撮影された撮影画像に対する格付けや順位付けなどの評価付け、取扱いの設定、情報の付加である画像取扱設定が行なわれる（Ｓ４３５）。
【０１７８】
ステップＳ４３５で行なわれる「フリー撮影」コースでの画像取扱設定では、１回の撮影ごとに撮影画像に対する感想を選択するためのボタンが表示され、その選択結果に対応して撮影画像の取扱いが設定される。
【０１７９】
なお、「フリー撮影」コースにおいて「ノーマル撮影」コースのように撮影がすべて終了した後で順番を決定していく形態の画像取扱設定が行なわれてもよいし、同様に「ノーマル撮影」コースで「フリー撮影」コースのように撮影ごとに撮影画像の感想や格付けを選択していく形態の画像取扱設定が行なわれてもよい。
【０１８０】
ステップＳ４３５の画像取扱設定が終了すると、Ｓ４００でカウントを開始した撮影制限時間に達したかどうかが判定される（Ｓ４４０）。撮影制限時間に達していれば（Ｓ４４０でＹＥＳ）、図１７のステップＳ１４５へ処理が戻る。
【０１８１】
撮影制限時間に達してなければ（Ｓ４４０でＮＯ）、「フリー撮影」コースで予め設定されている所定の撮影可能回数（ここでは８枚）撮影されたかどうかが判定され（Ｓ４４５）、所定の回数撮影されていない場合は（Ｓ４４５でＮＯ）、処理がステップＳ４０５に戻り、再び背景のセットから始まる撮影処理が繰返される。所定の回数撮影されている場合は（Ｓ４４５でＹＥＳ）、図１７のステップＳ１４５へ処理が戻る。このように、「フリー撮影」コースでは、撮影制限時間または撮影可能回数のいずれかに達するまで、撮影を繰返し行なうことができる。
【０１８２】
［編集処理］
上述のステップＳ１９０で実行される編集処理の具体例について説明する。
【０１８３】
ステップＳ１９０の編集処理時には、ステップＳ１３５の「ノーマル撮影」コースではステップＳ３３５において、ステップＳ１４０の「フリー撮影」コースではステップＳ４３５において撮影のたびごとに画像取扱設定で設定された撮影画像に対する評価に対応した表示がなされる。
【０１８４】
図２１は、ステップＳ１９０の編集時にタブレットディスプレイ１３に表示される編集画面の具体例を示す図であって、画像取扱設定において設定された撮影画像の評価に対応した表示がなされた編集画面の具体例を示す図である。
【０１８５】
図２１を参照して、編集画面は、編集対象である撮影画像を表示して撮影画像に実際に編集入力を行なうための描画領域８０と、撮影画像に編集入力するための装飾画像である編集用画像を選択するための選択領域８１と、編集対象とする撮影画像を切換えるためのボタンや、編集を行なう機能を選択するための「ペン」「スタンプ」「フレーム」などの機能選択ボタンや、入力した画像を消すための「けしごむ」（図示せず）、入力操作を１つ前の状態に戻すための「ひとつもどる」（図示せず）、画像入力を最初からやり直すための「はじめから」（図示せず）などの処理選択ボタンを表示する選択ボタン表示領域８２と、描画領域８０に表示させて編集対象とすることのできる予め選択された複数の撮影画像を選択可能に表示する編集画像選択領域８３とを含んで構成される。
【０１８６】
図２１に示される編集画面おいて、描画領域８０、選択領域８１、および選択ボタン表示領域８２に表示される選択ボタンは、２つのタッチペン１４で別々に編集操作できるように対で２画面構成となっている。このように画面構成されるで、複数のユーザ６で編集プレイを楽しむことができる。それぞれのタッチペン１４は２画面のそれぞれに対応する。処理の説明する際、２画面構成の内の片方の画面を用いるが、もう一方の画面においても同様の処理がなされる。言うまでもなく、編集画面の構成は１画面構成または２画面以上の複数の画面構成であってもよいし、タッチペン１４も１本または２本以上で構成されていても構わない。
【０１８７】
編集処理中には、撮影された画像と編集入力された編集用画像とはそれぞれ別の画層（レイヤ）に展開され、タブレットディスプレイ１３上にそれら画層が重ねて表示される。それぞれの画層のどちらが上に表示されるかは、用途により設定されている。たとえば、編集入力された画像を撮影された画像の前景画像とする場合には、編集入力された画像が上の画層となる。さらに編集入力された画像は、スタンプ画像の層、フレーム画像の層など、それぞれ複数の画層で構成されていてもよい。
【０１８８】
図２１に示される編集画面において、ユーザ６は、編集画像選択領域８３に表示される複数の撮影画像の中から編集対象とする撮影画像を選択してタッチペン１４でタッチする。さらに、選択ボタン表示領域８２に表示される機能選択ボタンの中から編集処理で使用するツールに該当する機能選択ボタンをタッチペン１４でタッチする。すると、描画領域８０に編集対象とする撮影画像が表示され、選択領域８１に選択されたツールで使用可能な編集用画像が表示されて、該編集用画像の色、柄、大きさなどが選択できる。そして、描画領域８０に表示された編集対象とする撮影画像に対して、編集用画像を用いて編集入力を行なうことができる。
【０１８９】
さらに、図２１に示される編集画面の編集画像選択領域８３では、上述の画像取扱設定で設定された評価に応じて撮影画像が表示される。より具体的には、設定された取扱順位に応じた順で上から順に並べられるという、評価に対応した優先表示がなされる。または、優先順位が高い撮影画像は他の優先順位の低い画像に比べて大きく表示する表示方法や、優先順位の低い画像の彩度を下げグレーにする表示方法など、撮影画像に設定された評価がユーザ６にわかるような表示方法がなされる。
【０１９０】
編集画面においてこのような表示がなされることで、先に設定された撮影画像の評価が一目で把握できて評価の高いものを見分けやすく、気に入った撮影画像を編集対象画像として優先的に編集しやすくなり、編集における操作性が向上して編集が容易になる。
【０１９１】
［印刷画像取扱設定］
上述のステップＳ１９５における印刷画像取扱設定について、具体的に説明する。ステップＳ１９５では、印刷画像取扱設定として、印刷対象とする画像の選択と共に、印刷対象とする画像の評価である利用形態の再設定あるいは変更を行なう。
【０１９２】
ステップＳ３３５やステップＳ４３５の画像取扱設定時に評価が低く設定されていた場合であっても、その撮影画像に対して編集入力が上手にできた場合など、撮影時と編集後とでは画像の評価が変動することもあり得る。そのため、ステップＳ１９５の印刷画像設定では、通常の印刷で印刷する合成画像と、余白などに「おまけ画像」として印刷する合成画像とを取替えることができるようにしておくなど、評価の１つとして画像に設定された利用形態を印刷前に変更あるいは再設定可能とする。
【０１９３】
また、利用形態には、どのように印刷されるかだけでなく、どのように出力されるかが含まれ、ステップＳ１９５の印刷画像設定では、どのように印刷されるかだけでなく、どのように出力されるかが設定されてもよい。たとえば、印刷するだけでなく携帯電話などに合成画像を送信できるような写真自動販売機の場合、利用形態としてどの合成画像を携帯電話に送信するのか設定できてもよい。
【０１９４】
さらに、利用形態として、印刷する画像の大きさや位置などが評価に対応して設定されてもよい。たとえば、評価の高い画像は大きく印刷されたり、目立つ位置に印刷されたり設定されてもよい。
【０１９５】
このようにして、印刷対象とすることのできる合成画像について、撮影画像に設定された評価に応じて利用形態を設定することができるため、より顧客の満足する印刷シールを作成することができる。このため、顧客満足が向上する。
【０１９６】
さらに、上述の写真自動販売機のコンピュータ装置１０１の制御方法を、プログラムとして提供することもできる。このようなプログラムは、コンピュータに付属するフレキシブルディスク、ＣＤ−ＲＯＭ（Compact Disc-Read Only Memory）、ＲＯＭ（Read Only Memory）、ＲＡＭ（Random Access Memory）、ＤＶＤ−ＲＯＭ（Digital Versatile Disc-Read Only Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１９７】
提供されるプログラム製品は、ハードディスクなどのプログラム格納部にインストールされて実行される。なお、プログラム製品は、プログラム自体と、プログラムが記録された記録媒体とを含む。
【０１９８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１９９】
【図１】本実施の形態における写真自動販売機の外観の具体例を示す図である。
【図２】本実施の形態における写真自動販売機の筐体１の正面を、撮影操作を行なう側から見た斜視図である。
【図３】本実施の形態における写真自動販売機を編集空間４ａ側から編集部４０１ａを見た斜視図である。
【図４】本実施の形態における写真自動販売機を編集空間４ｂ側から編集部４０１ｂを見た斜視図である。
【図５】本実施の形態における写真自動販売機の背景部５の正面から見た斜視図である。
【図６】本実施の形態における写真自動販売機の機能構成の具体例を示す図である。
【図７】筐体１を、照明部１８ａ〜１８ｃを含む面で切断した断面図である。
【図８】図８（Ａ）は、照明部１８ａの内部と照明部１８ｂの内部とを正面から見た図であり、図８（Ｂ）は照明部１８ａの内部と照明部１８ｂの内部とを側面から見た図である。
【図９】照明部１８ｂの斜視図である。
【図１０】照明部１８ｃの斜視図である。
【図１１】ユーザ６のポーズを説明する図である。
【図１２】筐体１に備えられる照明部１８ａ〜１８ｃを正面から見た図である。
【図１３】照明部１８ａ〜１８ｃから出射される光の方向を簡略的に表わす図である。
【図１４】照明部１８ａ〜１８ｃから出射される光の方向を簡略的に表わす図である。
【図１５】照明部１８の形態の他の具体例を示す図である。
【図１６】照明部１８ｄ〜１８ｆの位置を説明する図である。
【図１７】本実施の形態にかかる写真自動販売機の処理を示すフローチャートである。
【図１８】ステップＳ１３５で実行される「ノーマル撮影」コースの処理を示すフローチャートである。
【図１９】「ノーマル撮影」コースでの画質選択画面の具体例を示す図である。
【図２０】ステップＳ１４０で実行される「フリー撮影」コースの処理を示すフローチャートである。
【図２１】ステップＳ１９０の編集時に表示される編集画面の具体例を示す図である。
【符号の説明】
【０２００】
１  筐体、２，２ａ，２ｂ  編集筐体、３  撮影空間、４，４ａ，４ｂ  編集空間、５  背景部、６  ユーザ、７  撮影中ランプ、８  プリント取出口、９，９ａ，９ｂ  印刷ランプ、１０  用紙切れランプ、１１  エラーランプ、１２  プリンタ、１３，１３ａ，１３ｂ  タブレットディスプレイ、１４，１４ａ〜１４ｄ  タッチペン、１５  プリント案内部、１８，１８ａ〜１８ｆ  照明部、２０  レリーズスイッチ、２１  カメラ、２２  ライブモニタ、２３，２３ａ〜２３ｆ  スピーカ、２４  タッチパネルディスプレイ、２６  コイン投入口、２７  コイン返却口、２８  フロントドア、２９，２９ａ〜２９ｈ  フラッシュ、３０  照明装置、３１  電源スイッチ、４０，４０ａ〜４０ｃ  サイドカーテン、４１  ロールスクリーン、４２  巻取装置、５０，５０ａ〜５０ｇ  拡散板、５１，５１ａ〜５１ｄ  反射板、５２  透過板、８０，８１，８３  領域、１０１，１０１ａ，１０１ｂ  コンピュータ装置、１０２  制御部、１０３  電源制御部、１０４  ＵＰＳ、１０５  サービスパネル、１０６  フラッシュ制御部、１０７  コイン制御部、１１０  通信端末、４０１ａ，４０１ｂ  編集部。
【図１】
2005241839.tif 000003
【図２】
2005241839.tif 000004
【図３】
2005241839.tif 000005
【図４】
2005241839.tif 000006
【図５】
2005241839.tif 000007
【図６】
2005241839.tif 000008
【図７】
2005241839.tif 000009
【図８】
2005241839.tif 000010
【図９】
2005241839.tif 000011
【図１０】
2005241839.tif 000012
【図１１】
2005241839.tif 000013
【図１２】
2005241839.tif 000014
【図１３】
2005241839.tif 000015
【図１４】
2005241839.tif 000016
【図１５】
2005241839.tif 000017
【図１６】
2005241839.tif 000018
【図１７】
2005241839.tif 000019
【図１８】
2005241839.tif 000020
【図１９】
2005241839.tif 000021
【図２０】
2005241839.tif 000022
【図２１】
2005241839.tif 000023